(57)【特許請求の範囲】
【請求項１】
矩形の外枠と、前記外枠に開閉可能に支持され遊技盤を保持するプラスチック製の中枠と、該中枠の前面側に配され前記遊技盤の前面を覆う透明板を保持する透明板保持体とを備え、
前記遊技盤の前面側に形成された遊技領域における遊技球の挙動により入賞等の払出条件が成立したことに起因して遊技者側に賞球等の遊技価値を交付する弾球遊技機において、
前記中枠の一部であって、前記遊技領域外で前記遊技盤の上隅部の前面側になる光源保持部と、
該光源保持部に取り付けられた光源保持用の配線基板と、
該光源保持用の配線基板に保持される発光源と、
前記発光源の各々に対応して前記透明板保持体に開けられた透光穴と、
該透光穴の前面側を覆う透光性のカバー部を有して前記透明板保持体の前面側に取り付けられた電飾カバーと、
前記中枠の上辺に沿い端部を前記光源保持用の配線基板の上方に至らせて前記中枠の前面に取り付けられた配線基板と、
前記中枠の前面に設けられた配線溝を通路として前記配線基板と光源保持用の配線基板とを結ぶ配線と
を設けたことを特徴とする弾球遊技機。
【請求項２】
請求項１記載の弾球遊技機において、
前記中枠の上辺に沿って取り付けられた前記配線基板に保持された複数の電球と、
前記電球の各々に対応して前記透明板保持体に開けられた電球用の透光穴とを設け、
前記電飾カバーは、前記電球用の透光穴の前面側を覆う透光性の中央レンズ部を有している
ことを特徴とする弾球遊技機。
【請求項３】
請求項２記載の弾球遊技機において、
前記電飾カバーは、中央部に前記中央レンズ部が配され左右の端部にそれぞれ前記カバー部が配された弓状に湾曲したプラスチック部材である
ことを特徴とする弾球遊技機。
【発明の詳細な説明】
【０００１】
【発明の属する技術分野】
本発明は、弾球遊技機の技術分野に属する。
【０００２】
【従来の技術】
矩形の外枠、外枠に開閉可能に支持され遊技盤を保持するプラスチック製の中枠及び中枠の前面側に配され遊技盤の前面を覆う透明板を保持する透明板保持体を備え、遊技盤の前面側に形成された遊技領域における遊技球の挙動により入賞等の払出条件が成立したことに起因して遊技者側に賞球等の遊技価値を交付する弾球遊技機があり、代表的なものにパチンコ機がある。
【０００３】
この弾球遊技機に装備される遊技盤は略矩形であり、その前面側に取り付けられた円弧状のガイドレールで囲まれる略円形の領域の内側が遊技領域とされている。そして、遊技領域には入賞装置（入賞口）、障害釘、風車、アウト穴等が配置されており、パチンコ機の場合、入賞装置（入賞口）に遊技球が入賞すれば払出条件の成立であり、これに起因して例えば賞球としての遊技球が払い出される（遊技者側に遊技価値が交付される）。したがって、遊技盤の少なくとも遊技領域は、遊技の現況（遊技球の挙動や可変入賞装置の動作など）を遊技者が視認可能でなければならない。
【０００４】
ところで、遊技盤が略矩形（通常は略正方形）でありながら遊技領域（被視認領域）は略円形であるため、遊技盤の四隅は遊技には関係ない部分となっていた。この四隅の一部は、例えば検定済みの証紙類を貼付するために用いられたりするが、それ以外では電飾などの装飾が施されることが多かった。
【０００６】
【発明が解決しようとする課題】
ところが、遊技盤に電飾を施すには、例えば遊技盤の一部をくり抜いて電球やＬＥＤを取り付けたり配線するための穴を設けるなどの遊技盤の加工が必要であり、またそれら電球やＬＥＤを覆う透光性の装飾部材（通常は透光性のプラスチック部品）を遊技盤に取り付ける必要もあった。スロットマシンの額縁部分でも同様であった。
【０００７】
しかも、そうしたＬＥＤ等に結ばれている配線を本体側に配されている電源や制御基板と接続する作業も必要であり、入賞装置等が取付けられている遊技盤部分だけを交換し発射装置や払出装置等が取付けられている本体側はそのまま使用する、俗に面換えと呼ばれる作業に際しては、古い遊技盤側と本体側の配線を分離してから新しい遊技盤側の配線を接続する必要があった。
【０００８】
さらに、面換えを行った場合には、古い遊技盤に装着されていた電球、ＬＥＤ、装飾部材、配線等は遊技盤と共に廃棄されるので、プラスチック部品の再生等はあるとしても、省資源並びに廃棄物の減量という面でも問題があった。
【０００９】
一方、遊技盤の前面を覆う透明板（ガラス板）を保持する透明板保持体（ガラス扉）の遊技盤を臨ませる窓の形状を円形やアーチ形にして、遊技盤の隅部分を覆い、その部分に電飾を設けた弾球遊技機もある。このような構造にすれば、上述の遊技盤の穴あけ加工、面換えにおける作業量と廃棄物の問題は回避できる。
【００１０】
しかしながら、この場合は透明板保持体の窓の周囲という比較的幅が狭い場所に配線するので、配線作業が簡単ではなかった。
また本体側から透明板保持体に配線を引き回すために配線量が多くなり、省資源的ではなく、遊技機の廃棄時の廃棄物量も多くなってしまった。特に、電線の被覆には塩化ビニルが用いられているので、焼却時にダイオキシンが発生する可能性が高く、廃棄時における分別も必要であり、配線量の低減は廃棄物処理の面から重要な要素となっている。
【００１１】
さらに、本体側から透明板保持体側につながる配線が、透明板保持体の開閉に伴う屈曲の繰り返しによって疲労して断線するおそれもあった。
本発明は、遊技盤の隅部分に対応する遊技領域の周囲に電飾を施した弾球遊技機において、従来の弾球遊技機に存する問題、特に配線に関わる問題の解決を図ることを目的としている。
【００１２】
【課題を解決するための手段及び発明の効果】
請求項１記載の遊技機は、
矩形の外枠と、前記外枠に開閉可能に支持され遊技盤を保持するプラスチック製の中枠と、該中枠の前面側に配され前記遊技盤の前面を覆う透明板を保持する透明板保持体とを備え、
前記遊技盤の前面側に形成された遊技領域における遊技球の挙動により入賞等の払出条件が成立したことに起因して遊技者側に賞球等の遊技価値を交付する弾球遊技機において、
前記中枠の一部であって、前記遊技領域外で前記遊技盤の上隅部の前面側になる光源保持部と、
該光源保持部に取り付けられた光源保持用の配線基板と、
該光源保持用の配線基板に保持される発光源と、
前記発光源の各々に対応して前記透明板保持体に開けられた透光穴と、
該透光穴の前面側を覆う透光性のカバー部を有して前記透明板保持体の前面側に取り付けられた電飾カバーと、
前記中枠の上辺に沿い端部を前記光源保持用の配線基板の上方に至らせて前記中枠の前面に取り付けられた配線基板と、
前記中枠の前面に設けられた配線溝を通路として前記配線基板と光源保持用の配線基板とを結ぶ配線と
を設けたことを特徴とする。
【００１４】
この弾球遊技機は、中枠の一部を遊技領域外で遊技盤の前面側になる光源保持部として、その光源保持部に取り付けられた光源保持用の配線基板に電球やＬＥＤ等の発光源を保持させ、透明板保持体の一部には、発光源からの光を遊技者側に透過させる透光部を設けているので、遊技盤の遊技領域外となる部分（隅部分）には電飾を設ける必要がなくなる。
【００１５】
これにより、遊技盤に電飾を施した場合の上述の問題（遊技盤の穴あけ加工、面換えにおける作業量と廃棄物の問題）は発生しない。
電飾のための電球やＬＥＤ等の発光源とそれらへの配線はすべて中枠側になるので、電源や制御基板（これらは中枠に取付けられるのが普通である）からの配線距離は短縮され配線量は少なくなる。
【００１６】
また、透明板保持体にも発光源を取付ける必要がないから、透明板保持体の窓の周囲という比較的幅が狭い場所に配線する必要もなくなり、発光源への配線作業も簡単になる。
そして、本体側から透明板保持体に配線を引き回さないので、本体側から遊技盤側につながる配線が、透明板保持体の開閉に伴う屈曲の繰り返しによって疲労して断線することもない。
【００１７】
弾球遊技機全体での配線量も低減されるから、廃棄時における電線類の分別のための作業量が低減されるし、ダイオキシン対策でも優れている。
なお、光源保持部は、遊技盤を保持あるいは臨ませるために中枠に設けられる窓状の部分の内周から遊技盤側に向けて板状や格子状等で延出して設ければよい。また、この光源保持部に取り付けられた光源保持用の配線基板に電球やＬＥＤ等の発光源を取付けるが、インサート成形等により光源保持用の配線基板を中枠と一体化してもよい。
【００１８】
従来技術の項で述べたように、遊技盤の四隅の一部は、例えば検定済みの証紙類を貼付するために用いられるが、その貼付位置は遊技盤の下隅とされることが多い。したがって、この部分には電飾を配置することは困難（あるいは邪魔）だから、電飾は遊技盤の上隅部に対応して配されるのが好ましい。本発明では光源保持部を遊技盤の上隅部の前面側にしたから、証紙類の貼付場所を避けて電飾を遊技盤の上隅部に対応させるのに好適である。
【００１９】
請求項２記載の弾球遊技機は、請求項１記載の弾球遊技機において、前記中枠の上辺に沿って取り付けられた前記配線基板に保持された複数の電球と、前記電球の各々に対応して前記透明板保持体に開けられた電球用の透光穴とを設け、前記電飾カバーは、前記電球用の透光穴の前面側を覆う透光性の中央レンズ部を有していることを特徴とする。
請求項３記載の弾球遊技機は、請求項２記載の弾球遊技機において、前記電飾カバーは、中央部に前記中央レンズ部が配され左右の端部にそれぞれ前記カバー部が配された弓状に湾曲したプラスチック部材であることを特徴とする。
【００２０】
光通路は、例えば透明板保持体の一部に穴や切欠を設けて形成できる。そして、そのような穴や切欠の前面側を透光性のカバー部で覆えばよい。カバー部は、プラスチックやガラスを用いればよく、これらに予め着色したり着色フィルムのコーティングや転写等の手法で着色すれば電飾効果を高めることができる。また、カバー部にローレット等の凹凸を設けてもよい。
【００２１】
すなわち、カバー部をさまざまな材質、形態とすることができるから、遊技機の機種等に応じてカバー部を選択することで、さまざまな電飾を施すことができる。
【００２２】
【発明の実施の形態】
次に、本発明の実施例を図面を参照して説明して発明の実施の形態の説明とする。
【００２３】
【実施例】
図１に示すように、遊技機としてのパチンコ機１０は、上下及び左右の外殻を形成する矩形の外枠１２を備えており、外枠１２のヒンジ部１４ａ、１４ｂにて図２に示されるプラスチック製の中枠１６を軸支している。中枠１６は、ヒンジ部１４ａ、１４ｂを軸として扉状に開閉できる。
【００２４】
図２に示すように、中枠１６にはアーチ状の遊技盤窓１８が設けられており、遊技盤窓１８の背後に、周知の遊技盤２０を保持している。遊技盤２０は略正方形であり、遊技盤窓１８がアーチ状であるので、遊技盤２０の左右の上隅部２０ａ、２０ｂは、遊技盤窓１８の上方に張り出している光源保持部としての張出部２２ａ、２２ｂによって覆い隠されている。これら張出部２２ａ、２２ｂには、その形状に沿った配線基板２４ａ、２４ｂが取付けられており、配線基板２４ａ、２４ｂには、それぞれ発光源としての電球２６ａ〜２６ｄが取付けられている。また、中枠１６の上辺に沿って配線基板２８が取付けられ、その配線基板２８には複数の電球３０が取付けられている。そして、中枠１６には、配線基板２８と配線基板２４ａとを結ぶ配線の通路となる配線溝３２が設けられている。
【００２５】
遊技盤２０には、それぞれが円弧状の外ガイドレール３４及び内ガイドレール３６が取付けられ、これらに囲まれる略円形の領域が遊技領域３８とされる。周知であるので図示は省略しているが、遊技領域３８には入賞装置（入賞口）、図柄表示装置、障害釘、障害風車等が配されており、最下部にはアウト穴４０が設けられている。
【００２６】
そして、図示しない発射装置によって発射された遊技球が遊技領域３８内にて進路を変化させながら落下し、いずれかは入賞装置（入賞口）に入賞し、その他の遊技球はアウト穴４０に流入する。また入賞すると、図示しない払出装置が作動して入賞に対応する個数の遊技球を賞球として排出する。こうした点は、周知のパチンコ機と変わるところはないので、詳細の図示と説明は省略する。
【００２７】
図１に示すように、遊技盤２０の前面側は透明板保持体に該当するプラスチック製のガラス扉４４に覆われている。
ガラス扉４４にはアーチ形の窓４６が設けられている。この窓４６の上半分の内周は遊技領域３８の周にほぼ整合し、下半分では遊技盤２０の左右下隅が窓４６を通して見えており、ここに証紙類を貼付した場合には、それらを見ることができる。
【００２８】
図１及び図３に示すように、窓４６の上方には電飾カバー４８が取付けられている。電飾カバー４８は弓状に湾曲したプラスチック部材であり、その一部は着色透光性の中央レンズ部５０、左レンズ部５２ａ及び右レンズ部５２ｂとなっている。また、これら中央レンズ部５０、左レンズ部５２ａ及び右レンズ部５２ｂ以外の部分は、白色透光性となっている。
【００２９】
図３に示すように、中央レンズ部５０、左レンズ部５２ａ及び右レンズ部５２ｂの背後には、電球３０及び電球２６ａ〜２６ｄに対応する透光穴５４、５６ａ〜５６ｄが設けられている。このため、電球３０から出た光は対応する透光穴５４を通過して中央レンズ部５０に至り、これを透過して遊技者側に放射される。同様に、電球２６ａ、２６ｂから出た光は対応する透光穴５６ａ、５６ｂを通過して左レンズ部５２ａに至り、電球２６ｃ、２６ｄから出た光は対応する透光穴５６ｃ、５６ｄを通過して右レンズ部５２ｂに至り、これらを透過して遊技者側に放射される。すなわち、左レンズ部５２ａ及び右レンズ部５２ｂはカバー部に該当している。
【００３０】
ガラス扉４４の背面には上辺側が開放されたコの字形のレール保持部５９が設けられており、その内面に同様にコの字状をしたガラス保持レール６０が取付けられている。そして、このガラス保持レール６０にて透明なガラス板６２を２枚保持している。なお、ガラス板６２はガラス保持レール６０の開放辺側より上下に抜き差しできる。また、ガラス板６２の一部は電球２６ａ〜２６ｄと透光穴５６ａ〜５６ｄとの間に介在しているが、ガラス板６２が透明であるから、上述した光の経路を遮断することはない。
【００３１】
このガラス扉４４は、上下に立設されたヒンジ軸６４ａ、６４ｂを中枠１６の軸受６６ａ、６６ｂに挿通することで中枠１６に取付けられており、ヒンジ軸６４ａ、６４ｂを軸として扉状に開閉できる。なお、通常の使用状態では図１に示されるように閉じた状態とされており、縁部に設けられた鍵穴６８に図示しない鍵を差し込んで時計回りさせれば、ガラス扉４４を開けることができる。また、この鍵穴６８に差し込んだ鍵を反時計回りに操作すれば、外枠１２と中枠１６との施錠を解除して、中枠１６を開けることができる。
【００３２】
図１に示すように、ガラス扉４４の下方には皿扉７０が配されている。皿扉７０は左辺部に設けられているヒンジ（図示しない）にて中枠１６に取付けられており、ヒンジを軸として開閉できるが、通常は図示のように閉じられていて、その上辺部をガラス扉４４が押さえているので、ガラス扉４４を開けなければ皿扉を開くことはできない。皿扉７０には、賞球の受皿であり発射装置に供給される遊技球の貯留皿でもある上皿７２が設けられ、パチンコ機１０の本体側から排出される賞球を上皿７２に誘導するための上皿樋７４が開口している。
【００３３】
さらに、皿扉７０の下方においては、上皿７２が満杯となったときに賞球を受け容れる下皿７６が外枠１２の前面に固定され、その下皿７６に賞球を誘導するための下皿樋７８が開口している。また、下皿７６の右側には発射装置を操作するための操作ダイヤル８０が取付けられ、左側には灰皿８２が設置されている。
【００３４】
このパチンコ機１０は、中枠１６の一部を張出部２２ａ、２２ｂとして遊技盤窓１８の上方に張り出して遊技盤２０の上隅部２０ａ、２０ｂを覆い隠し、これら張出部２２ａ、２２ｂに取付けた配線基板２４ａ、２４ｂにて電球２６ａ〜２６ｄを保持する一方、遊技盤２０の前面側を覆うガラス扉４４には、電球２６ａ〜２６ｄに対応して、透光穴５６ａ〜５６ｄを設け、透光穴５６ａ〜５６ｄの前面側は電飾カバー４８の左レンズ部５２ａ及び右レンズ部５２ｂで覆っている。電球２６ａ、２６ｂから出た光は透光穴５６ａ、５６ｂを通り、左レンズ部５２ａから遊技者側に放射され、電球２６ｃ、２６ｄから出た光は透光穴５６ｃ、５６ｄを通り、右レンズ部５２ｂから遊技者側に放射されるので、左レンズ部５２ａ及び右レンズ部５２ｂが電飾となる。また、電球２６ａ〜２６ｄを消灯しても、左レンズ部５２ａ及び右レンズ部５２ｂは装飾効果を発揮する。
【００３５】
したがって、遊技盤２０の遊技領域３８より外側となる上隅部２０ａ、２０ｂには電飾を設ける必要がなくなり、遊技盤に電飾を施した場合に必要とされる遊技盤の穴あけ加工は不要になり、面換えにおける配線作業量は低減され電飾用の配線が廃棄物を増加させることもない。
【００３６】
しかも、電飾のための電球２６ａ〜２６ｄへの配線はすべて中枠１６側になるので、電源や制御基板（これらは中枠１６に取付けられている）からの配線距離は短縮され配線量は少なくなる。
また、ガラス扉４４にも電球等の発光源を取付ける必要がないから、ガラス扉４４の窓４６の周囲という比較的幅が狭い場所に配線する必要もなくなり、発光源への配線作業も簡単になる。
【００３７】
そして、本体側からガラス扉４４に配線を引き回さないので、本体側からガラス扉４４側につながる配線が、ガラス扉４４の開閉に伴う屈曲の繰り返しによって疲労して断線することもない。
パチンコ機１０全体での配線量も低減されるから、廃棄時における電線類の分別のための作業量が低減されるし、ダイオキシン対策でも優れている。
【００３８】
また、電飾カバー４８全体あるいは中央レンズ部５０、左レンズ部５２ａもしくは右レンズ部５２をさまざまな材質、形態とすることができるから、パチンコ機１０の機種等に応じてこれらを選択することで、さまざまな電飾を施すことができる。
【００３９】
実施例にしたがって本発明の実施の形態を説明したが、本発明はこの例に限定されるものではない。
【図面の簡単な説明】
【図１】  実施例のパチンコ機の正面図である。
【図２】  実施例のパチンコ機のガラス扉を撤去した状態の一部正面図である。
【図３】  実施例のパチンコ機のガラス扉の背面図である。
【符号の説明】
１０…パチンコ機（遊技機）、１２…外枠、１４ａ、１４ｂ…ヒンジ部、１６…中枠、１８…遊技盤窓、２０…遊技盤（遊技必須部材）、２０ａ、２０ｂ…上隅部、２２ａ、２２ｂ…張出部（光源保持部）、２４ａ、２４ｂ…配線基板、２６ａ〜２６ｄ…電球（発光源）、２８…配線基板、３０…電球、３２…配線溝、３４…外ガイドレール、３６…内ガイドレール、３８…遊技領域（被視認領域）、４０…アウト穴、４４…ガラス扉（透明板保持体）、４６…窓、４８…電飾カバー（透光部）、５０…中央レンズ部、５２ａ…左レンズ部（カバー部）、５２ｂ…右レンズ部（カバー部）、５４…透光穴、５６ａ〜５６ｄ…透光穴（光通路）、５９…レール保持部、６０…ガラス保持レール、６２…ガラス板（透明板）、７０…皿扉、７２…上皿、７６…下皿、８０…操作ダイヤル。
【図１】
0003777278.tif 000002
【図２】
0003777278.tif 000003
【図３】
0003777278.tif 000004